Podtech/llm-jp-corpus-v4-ja_patent huggingface dataset:
【手続補正書】
【提出日】平成25年2月19日(2013.2.19)
【手続補正１】
【補正対象書類名】特許請求の範囲
【補正対象項目名】全文
【補正方法】変更
【補正の内容】
【特許請求の範囲】
【請求項１】
回転可能なロールペーパーと揺動可能で前記ロールペーパーの上に載置可能な上部カバーを有するロールペーパーホルダーであって、
前記ロールペーパーのペーパーにはミシン目が形成され、
前記上部カバーの前側に前記ペーパーを挿通可能な支持部を形成の排出口を設け、
前記支持部の形状を凸状の弓形状又は波形状とし、
前記排出口を挿通のペーパーを下方向に引っ張ると、上部カバーでロールペーパーの回転を阻止することを特徴とするロールペーパーホルダー。
【請求項２】
回転可能なロールペーパーと揺動可能で前記ロールペーパーの上に載置可能な上部カバーを有するロールペーパーホルダーであって、
前記ロールペーパーのペーパーにはミシン目が形成され、
前記上部カバーの前側に前記ペーパーを挿通可能な支持部を形成の排出口を設け、
前記支持部の形状を凸状の弓形状又は波形状とし、
前記排出口を挿通のペーパーを下方向に引っ張ると、ミシン目から破断するロールペーパーの破断方法であって、
（ａ）必要長さのペーパーを前記排出口から引っ張り出して、ペーパーを狭着の指と支持部との間に１個のミシン目があるように調整し、
（ｂ）指で狭着のペーパーを下方向に引っ張ると、上部カバーの押圧によってロールペーパーの回転は阻止されてミシン目で破断するロールペーパーの破断方法。
【手続補正２】
【補正対象書類名】明細書
【補正対象項目名】０００６
【補正方法】変更
【補正の内容】
【０００６】
請求項１のロールペーパーホルダーは回転可能なロールペーパーと揺動可能で前記ロールペーパーの上に載置可能な上部カバーを有する。また、ロールペーパーにはミシン目が形成され、前記上部カバーの前側に前記ペーパーを挿通可能な支持部を形成の排出口が設けてある。そして、前記支持部の形状は凸状の弓形状又は波形状であり。前記排出口を挿通のペーパーを下方向に引っ張ると、上部カバーによってロールペーパーの回転は阻止されて、ペーパーはミシン目で破断される。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
請求項２の発明は、排出口を挿通のペーパーを下方向に引っ張ると、ミシン目から破断するロールペーパーの破断方法の発明であり、回転可能なロールペーパーと揺動可能で前記ロールペーパーの上に載置可能な上部カバーを有している。また、前記ロールペーパーのペーパーにはミシン目が形成され、前記上部カバーの前側に前記ペーパーを挿通可能な支持部を形成の排出口が設けてあり、前記支持部の形状を凸状の弓形状又は波形状である。
そして、（ａ）必要長さのペーパーを前記排出口から引っ張り出して、ペーパーを狭着の指と支持部との間に１個のミシン目があるように調整し、
（ｂ）指で狭着のペーパーを下方向に引っ張ると、上部カバーの押圧によってロールペーパーの回転は阻止されて、ペーパーはミシン目で破断される。
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正書】
【提出日】平成25年7月22日(2013.7.22)
【手続補正１】
【補正対象書類名】特許請求の範囲
【補正対象項目名】全文
【補正方法】変更
【補正の内容】
【特許請求の範囲】
【請求項１】
異なる位置から検出対象に向けて電波がそれぞれ照射され、周期性を有する検出対象生体信号を含んで前記検出対象からそれぞれ反射してなる第一入力信号及び該第一入力信号と同じ周波数域の第二入力信号から、所定の身体情報を検出する身体情報測定装置であって、
前記第一入力信号から互いに直交する第一Ｉチャネル信号と第一Ｑチャネル信号とを生成する第一複素信号形成部と、
前記第二入力信号から互いに直交する第二Ｉチャネル信号と第二Ｑチャネル信号とを生成する第二複素信号形成部と、
前記第一Ｉチャネル信号、前記第一Ｑチャネル信号、前記第二Ｉチャネル信号及び前記第二Ｑチャネル信号のスペクトル密度をそれぞれ算出する周波数変換部と、
前記第一Ｉチャネル信号、前記第一Ｑチャネル信号、前記第二Ｉチャネル信号及び前記第二Ｑチャネル信号から、前記検出対象生体信号の主要帯域内で同一時刻における各前記スペクトル密度の突出したピークの数が最少の信号を選択するピーク数選択部と、
選択された信号から前記身体情報を抽出する信号解析部と、
を備えていることを特徴とする身体情報測定装置。
【請求項２】
前記スペクトル密度の突出したピークの数が１となる複数の前記チャネル信号から、前記スペクトル密度の分布形状が最良の信号を選択するための第一評価指数と、
前記スペクトル密度の突出したピークの数が２となる複数の前記チャネル信号から、前記スペクトル密度の分布形状が最良の信号を選択するための第二評価指数と、
前記スペクトル密度の突出したピークの数が３となる複数の前記チャネル信号から、前記スペクトル密度の分布形状が最良の信号を選択するための第三評価指数と、
を備え、
前記第一評価指数、前記第二評価指数、及び前記第三評価指数を比較して、前記ピークの数が最少かつ前記評価指数が最小となるスペクトル密度を有する信号を選択する最良形状選択部を備えていることを特徴とする請求項１に記載の身体情報測定装置。
【請求項３】
前記スペクトル密度の突出したピークの数が４以上となる複数の前記チャネル信号に対して設定される第四評価指数を備え、
前記最良形状選択部が、前記第一評価指数、前記第二評価指数、前記第三評価指数、及び前記第四評価指数を比較して、前記ピークの数が最少かつ前記評価指数が最小となるスペクトル密度を有する信号を選択することを特徴とする請求項２に記載の身体情報測定装置。
【請求項４】
前記ピークの数が最少かつ前記評価指数が最小となるスペクトル密度を有する信号が複数の場合、前記最良形状選択部が、前記第一Ｉチャネル信号、前記第一Ｑチャネル信号、前記第二Ｉチャネル信号、前記第二Ｑチャネル信号の順に一の信号を選択することを特徴とする請求項２又は３に記載の身体情報計測装置。
【請求項５】
前記検出対象に対する前記電波の前記照射方向を変更する駆動部を備えていることを特徴とする請求項１から４の何れか一つに記載の身体情報測定装置。
【請求項６】
異なる位置から検出対象に向けて電波がそれぞれ照射され、周期性を有する検出対象生体信号を含んで前記検出対象からそれぞれ反射してなる第一入力信号及び該第一入力信号と同じ周波数域の第二入力信号から、所定の身体情報を検出する身体情報測定方法であって、
前記第一入力信号から互いに直交する第一Ｉチャネル信号と第一Ｑチャネル信号とを生成する第一複素信号形成ステップと、
前記第二入力信号から互いに直交する第二Ｉチャネル信号と第二Ｑチャネル信号とを生成する第二複素信号形成ステップと、
前記第一Ｉチャネル信号、前記第一Ｑチャネル信号、前記第二Ｉチャネル信号及び前記第二Ｑチャネル信号のスペクトル密度をそれぞれ算出する周波数変換ステップと、
前記第一Ｉチャネル信号、前記第一Ｑチャネル信号、前記第二Ｉチャネル信号及び前記第二Ｑチャネル信号から、前記検出対象生体信号が含まれる周波数領域内で同一時刻における各前記スペクトル密度の突出したピークの数が最少の信号を選択するピーク数選択ステップと、
選択された信号から前記身体情報を抽出する信号解析ステップと、
を備えていることを特徴とする身体情報測定方法。
【請求項７】
前記スペクトル密度の突出したピークの数が１となる複数の前記チャネル信号から、前記スペクトル密度の分布形状が最良の信号を選択するための第一評価指数と、
前記スペクトル密度の突出したピークの数が２となる複数の前記チャネル信号から、前記スペクトル密度の分布形状が最良の信号を選択するための第二評価指数と、
前記スペクトル密度の突出したピークの数が３となる複数の前記チャネル信号から、前記スペクトル密度の分布形状が最良の信号を選択するための第三評価指数と、
を備え、
前記第一評価指数、前記第二評価指数、及び前記第三評価指数を比較して、前記ピークの数が最少かつ前記評価指数が最小となるスペクトル密度を有する信号を選択する最良形状選択ステップを備えていることを特徴とする請求項６に記載の身体情報測定方法。
【請求項８】
前記スペクトル密度の突出したピークの数が４以上となる複数の前記チャネル信号に対して設定される第四評価指数を備え、
前記最良形状選択ステップが、前記第一評価指数、前記第二評価指数、前記第三評価指数、及び前記第四評価指数を比較して、前記ピークの数が最少かつ前記評価指数が最小となるスペクトル密度を有する信号を選択することを特徴とする請求項７に記載の身体情報測定方法。
【請求項９】
前記ピークの数が最少かつ前記評価指数が最小となるスペクトル密度を有する信号が複数の場合、前記最良形状選択ステップで、前記第一Ｉチャネル信号、前記第一Ｑチャネル信号、前記第二Ｉチャネル信号、前記第二Ｑチャネル信号の順に一の信号を選択することを特徴とする請求項７又は８に記載の身体情報測定方法。
【請求項１０】
前記検出対象に対する前記電波の前記照射方向を変更する調節ステップを備えていることを特徴とする請求項６から９の何れか一つに記載の身体情報測定方法。
【手続補正書】
【提出日】平成25年9月2日(2013.9.2)
【手続補正１】
【補正対象書類名】特許請求の範囲
【補正対象項目名】請求項１９
【補正方法】変更
【補正の内容】
【請求項１９】
幅αを有する所定の値域に画素値が畳み込まれた画像にアンラップ処理を施すアンラップ処理ステップと、
前記アンラップ処理のエラーを補正する処理単位として前記アンラップ処理済みの前記位相微分画像内に定められる小領域について、画素値の統計演算により１つの基準値を求める統計演算処理ステップと、
前記基準値と各画素の画素値の差分Δがｎα−α／２≦Δ＜ｎα＋α／２を満たす整数ｎを画素毎に算出する整数ｎ算出ステップと、
前記整数ｎに応じて各画素の画素値から前記整数ｎと前記幅αの積を減算することにより、前記アンラップ処理のエラーを補正する補正ステップと、
を備えることを特徴とする画像処理方法。
【手続補正２】
【補正対象書類名】特許請求の範囲
【補正対象項目名】請求項２０
【補正方法】変更
【補正の内容】
【請求項２０】
前記アンラップ処理が施された前記画像に基づいて、前記小領域のサイズを決定する小領域サイズ決定ステップを備えることを特徴とする請求項１９記載の画像処理方法。
【手続補正３】
【補正対象書類名】明細書
【補正対象項目名】００３２
【補正方法】変更
【補正の内容】
【００３２】
本発明の画像処理方法は、幅αを有する所定の値域に画素値が畳み込まれた画像にアンラップ処理を施すアンラップ処理ステップと、前記アンラップ処理のエラーを補正する処理単位として前記アンラップ処理済みの前記位相微分画像内に定められる小領域について、画素値の統計演算により１つの基準値を求める統計演算処理ステップと、前記基準値と各画素の画素値の差分Δがｎα−α／２≦Δ＜ｎα＋α／２を満たす整数ｎを画素毎に算出する整数ｎ算出ステップと、前記整数ｎに応じて各画素の画素値から前記整数ｎと前記幅αの積を減算することにより、前記アンラップ処理のエラーを補正する補正ステップと、を備えることを特徴とする。
【手続補正４】
【補正対象書類名】明細書
【補正対象項目名】００３３
【補正方法】変更
【補正の内容】
【００３３】
前記アンラップ処理が施された前記画像に基づいて、前記小領域のサイズを決定する小領域サイズ決定ステップを備えることが好ましい。
【手続補正書】
【提出日】平成25年3月19日(2013.3.19)
【手続補正１】
【補正対象書類名】特許請求の範囲
【補正対象項目名】全文
【補正方法】変更
【補正の内容】
【特許請求の範囲】
【請求項１】
アクセルペダル(１２)の左右の側面を挟持する一対の挟持アーム(２４)と、
この挟持アーム(２４)のアクセルペダル(１２)に対する挟持力を保持する挟持ばね(２６)と、
アクセルペダル(１２)の可動範囲で挟持アーム(２４)の外側面を囲んで往復移動範囲を規定するガイドフレーム(３２)と、
前記挟持アーム(２４)に連結されて前記挟持アーム(２４)の往復移動によりアクセルを開閉するアクセルワイヤ(２０)と、
挟持アーム(２４)をアクセルべダルの上死点まで復帰させるための弾力を加える戻しばね(２２)と、
前記上死点から下死点までのアクセル作動範囲を越えて前記挟持アーム(２４)が移動したとき、前記挟持アーム(２４)と衝突し、前記一対の挟持アーム(２４)の間に割り込んで挟持アーム(２４)の間隔を広げるガイド爪(２８)と、
前記挟持アーム(２４)の間隔が広がって前記アクセルペダル(１２)を挟持する挟持力が解放されたときに、前記アクセルペダル(１２)が前記下死点を越えて移動する方向に配置されて、前記アクセルペダル(１２)により押圧されてブレーキを作動させる非常ブレーキペダル(１４)を備えたことを特徴とするアクセルペダル誤操作防止装置。
【請求項２】
請求項１に記載のアクセルペダル誤操作防止装置において、
前記非常ブレーキペダル(１４)は、自動車本体のブレーキペダルと連結するリンク(３４)を備え、その連結部(３６)には、自動車の床面に一端を固定した支持軸(４０)が挿入されていることを特徴とするアクセルペダル誤操作防止装置。
【請求項３】
請求項１または２に記載のアクセルペダル誤操作防止装置において、
一端を非常ブレーキペダル(１４)に回転軸５２を介して接続され、中間を第一支点(４２)により支持された第一アーム(４４)と、一端を本体のブレーキペダル(５０)に回転軸５４を介して接続され、中間を第二支点(４６)により支持された第二アーム(４８)とが、それぞれ他端を相互に連結し、この連結を維持した状態で屈曲とアームの長手方向の相対移動を許容する自在連結部５６で連結されていることを特徴とするアクセルペダル誤操作防止装置。
【請求項４】
請求項１乃至３のいずれかに記載のアクセルペダル誤操作防止装置において、
前記非常ブレーキペダル(１４)の操作によりブレーキランプとハザードランプを点灯させるスイッチを設けたことを特徴とするアクセルペダル誤操作防止装置。
【手続補正書】
【提出日】平成25年6月5日(2013.6.5)
【手続補正１】
【補正対象書類名】特許請求の範囲
【補正対象項目名】全文
【補正方法】変更
【補正の内容】
【特許請求の範囲】
【請求項１】
補強混合物を骨に配送する装置であって、
近位端、遠位端、およびその間の長手方向軸を有し、骨補強混合物を通過させることのできる少なくとも１つの内腔を含むカテーテルと、
前記カテーテルから延在し、前記補強混合物がバルーンに入ると、略収縮状態から略膨張状態に拡張し始めるバルーンと、
前記カテーテルを通って前記バルーン内に延在し、光を前記バルーンに誘導して前記補強混合物を照明及び硬化する少なくとも１つの光導体と、
前記カテーテルと前記バルーンを接続し、接合部で前記カテーテルに負荷される応力を集中させる接合部と、
前記接合部に配置され、前記カテーテルの周囲に延在する照明バンドと
を備えることを特徴とする装置。
【請求項２】
前記接合部が、前記カテーテル内に切欠き、溝、およびチャンネルのうち少なくとも１つを含むことを特徴とする請求項１の装置。
【請求項３】
前記接合部が、前記カテーテルのほぼ外周に延びる予め弱化された領域を含むことを特徴とする請求項１の装置。
【請求項４】
前記接合部が、少なくとも所定の荷重下で前記バルーンを前記カテーテルから分離するように設計されることを特徴とする請求項１の装置。
【請求項５】
前記接合部がカテーテルの長手方向軸に沿って１インチ未満延在することを特徴とする請求項１の装置。
【請求項６】
前記カテーテルに光を提供する光源をさらに備えることを特徴とする請求項１の装置。
【請求項７】
前記光源が紫外線光を提供することを特徴とする請求項６の装置。
【請求項８】
前記光源からの光をバルーン内に伝達するカテーテルの少なくとも１つの内腔をさらに備えることを特徴とする請求項６の装置。
【請求項９】
前記照明バンドは、活性化されて光が該照明バンド内の前記カテーテル内の前記補強混合物を硬化させるように構成されている請求項１に記載の装置。
【請求項１０】
前記照明バンドは、該照明バンドを活性化させるスイッチを含む請求項９に記載の装置。
【請求項１１】
前記スイッチは結合装置である請求項１０に記載の装置。
【手続補正書】
【提出日】平成25年4月8日(2013.4.8)
【手続補正１】
【補正対象書類名】特許請求の範囲
【補正対象項目名】請求項９
【補正方法】変更
【補正の内容】
【請求項９】
前記基本駆動波形を表すデジタル波形データを格納する波形データ記憶手段と、
前記波形データ記憶手段から読み出したデジタル波形データからアナログ信号に変換するＤ／Ａ変換器と、を備え、
前記波形選択手段は、前記Ｄ／Ａ変換器を経て生成された前記基本駆動波形の電圧信号の一部を前記吐出エネルギー発生素子に印加するタイミングを制御するスイッチ手段を含んで構成される請求項１から８のいずれか１項に記載の液体吐出ヘッドの駆動装置。
【手続補正２】
【補正対象書類名】明細書
【補正対象項目名】０１７０
【補正方法】変更
【補正の内容】
【０１７０】
（第９態様）：第１態様から第８態様のいずれか１項に記載の液体吐出ヘッドの駆動装置において、前記基本駆動波形を表すデジタル波形データを格納する波形データ記憶手段と、前記波形データ記憶手段から読み出したデジタル波形データからアナログ信号に変換するＤ／Ａ変換器と、を備え、前記波形選択手段は、前記Ｄ／Ａ変換器を経て生成された前記基本駆動波形の電圧信号の一部を前記吐出エネルギー発生素子に印加するタイミングを制御するスイッチ手段を含んで構成することができる。
【手続補正書】
【提出日】平成25年7月2日(2013.7.2)
【手続補正１】
【補正対象書類名】明細書
【補正対象項目名】００２０
【補正方法】変更
【補正の内容】
【００２０】
ボディ１２の内部には、開口部１８から他端面側（矢印Ｂ方向）に向かって所定深さで窪んだ空間部２４を有し、該空間部２４の略中央には、内壁面から略円形状に膨出した凸部２６が形成される。凸部２６の中央には供給ポート２２が貫通し、前記凸部２６には前記供給ポート２２から半径外方向に向かって延在する連通路２８が形成される。そして、連通路２８は、凸部２６の外周側に形成された環状の環状路３０と連通している。なお、連通路２８及び環状路３０は、空間部２４の内壁面に沿って形成されているため、略同一平面上に形成される。すなわち、供給ポート２２からボディ１２の空間部２４へと供給された負圧流体は、連通路２８を通じて環状路３０へと供給される。
【手続補正書】
【提出日】平成25年7月11日(2013.7.11)
【手続補正１】
【補正対象書類名】特許請求の範囲
【補正対象項目名】全文
【補正方法】変更
【補正の内容】
【特許請求の範囲】
【請求項１】
印刷データを受信する受信部と、
該受信部から入力する印刷データの印刷ジョブ情報を記憶する印刷ジョブ情報記憶部と、
前記印刷データの解析を行い、前記印刷データを画像データに変換する画像データ変換部と、
前記印刷データを画像データに変換する際、前記印刷データをページ毎に管理する印刷行列を生成する印刷行列生成部と、
ジョブキャンセルが指示された際、該指示が行なわれた時の印刷ジョブＩＤを記憶する印刷ジョブＩＤ記憶部と、
ジョブキャンセルを実行する際、前記印刷ジョブＩＤ記憶部に記憶した印刷ジョブＩＤと該実行時の印刷ジョブＩＤを比較し、両印刷ジョブＩＤが一致するとき、該印刷ジョブＩＤの印刷データの印刷処理をキャンセルする制御部と、
を有することを特徴とする印刷装置。
【請求項２】
前記制御部は、前記両印刷ジョブＩＤが一致するとき、前記ジョブキャンセルの指示以外の更なる指示を必要とすることなく、前記印刷ジョブＩＤが一致した印刷データのジョブキャンセル処理を行なうことを特徴とする請求項１に記載の印刷装置。
【請求項３】
印刷データを受信する受信部と、
該受信部から入力する印刷データの印刷ジョブ情報を記憶する印刷ジョブ情報記憶部と、
前記印刷データの解析を行い、前記印刷データを画像データに変換する画像データ変換部と、
前記印刷データを画像データに変換する際、前記印刷データをページ毎に管理する印刷行列を生成する印刷行列生成部と、
ジョブキャンセルが指示された際、該指示が行なわれた時の印刷ジョブ数を記憶する印刷ジョブ数記憶部と、
ジョブキャンセルを実行する際、該印刷ジョブキャンセル実行時の前記印刷ジョブ数が１つであるか判断し、該印刷ジョブ数が１つであるとき、前記印刷ジョブ数記憶部に記憶された印刷ジョブ数も１つである場合、当該印刷データの印刷処理をキャンセルする制御部と、
を有することを特徴とする印刷装置。
【請求項４】
前記制御部は、前記ジョブキャンセルの指示以外の更なる指示を必要とすることなく、前記１つである印刷ジョブのジョブキャンセル処理を行なうことを特徴とする請求項３に記載の印刷装置。
【請求項５】
印刷データを受信する受信部と、
該受信部から入力する印刷データの印刷ジョブ情報を記憶する印刷ジョブ情報記憶部と、
前記印刷データの解析を行い、前記印刷データを画像データに変換する画像データ変換部と、
前記印刷データを画像データに変換する際、前記印刷データをページ毎に管理する印刷行列を生成する印刷行列生成部と、
ジョブキャンセルが指示された際、該指示が行なわれた時の印刷ジョブＩＤを記憶する印刷ジョブＩＤ記憶部と、
ジョブキャンセルを実行する際、前記印刷ジョブＩＤ記憶部に記憶した印刷ジョブＩＤと該実行時の印刷ジョブＩＤを比較し、両印刷ジョブＩＤが一致するとき、ジョブキャンセルが有効である報知を行い、両印刷ジョブＩＤが一致しないとき、ジョブキャンセルの注意を喚起する報知を行う制御部と、
を有することを特徴とする印刷装置。
【請求項６】
前記ジョブキャンセルの指示が行われた際、前記印刷ジョブ情報記憶部に１つの印刷ジョブ情報も記憶されていないとき、ジョブキャンセル無効の報知を行なうことを特徴とする請求項１、２、３、４、又は５に記載の印刷装置。
【請求項７】
印刷データを受信する受信処理と、
該受信部から入力する印刷データの印刷ジョブ情報を記憶する処理と、
前記印刷データの解析を行い、前記印刷データを画像データに変換する処理と、
前記印刷データを画像データに変換する際、前記印刷データをページ毎に管理する印刷行列を生成する処理と、
ジョブキャンセルが指示された際、該指示が行なわれた時の印刷ジョブＩＤを記憶する処理と、
ジョブキャンセルを実行する際、前記印刷ジョブＩＤ記憶部に記憶した印刷ジョブＩＤと該実行時の印刷ジョブＩＤを比較し、両印刷ジョブＩＤが一致するとき、該印刷ジョブＩＤの印刷データの印刷処理をキャンセルする処理と、
を行なうことを特徴とする印刷方法。
【請求項８】
印刷データを受信する処理と、
該受信部から入力する印刷データの印刷ジョブ情報を記憶する処理と、
前記印刷データの解析を行い、前記印刷データを画像データに変換する処理と、
前記印刷データを画像データに変換する際、前記印刷データをページ毎に管理する印刷行列を生成する処理と、
ジョブキャンセルが指示された際、該指示が行なわれた時の印刷ジョブ数を記憶する処理と、
ジョブキャンセルを実行する際、該印刷ジョブキャンセル実行時の前記印刷ジョブ数が１つであるか判断し、該印刷ジョブ数が１つであるとき、該印刷ジョブの印刷処理をキャンセルする処理と、
を行なうことを特徴とする印刷方法。
【請求項９】
印刷データを受信する処理と、
該受信部から入力する印刷データの印刷ジョブ情報を記憶する処理と、
前記印刷データの解析を行い、前記印刷データを画像データに変換する処理と、
前記印刷データを画像データに変換する際、前記印刷データをページ毎に管理する印刷行列を生成する処理と、
ジョブキャンセルが指示された際、該指示が行なわれた時の印刷ジョブＩＤを印刷ジョブＩＤ記憶部に記憶する処理と、
ジョブキャンセルを実行する際、前記印刷ジョブＩＤ記憶部に記憶した印刷ジョブＩＤと該実行時の印刷ジョブＩＤを比較し、両印刷ジョブＩＤが一致するとき、ジョブキャンセルが有効である報知を行い、両印刷ジョブＩＤが一致しないとき、ジョブキャンセルが有効であると共に前記印刷ジョブＩＤが不一致であることを示す報知を行う処理と、
を行なうことを特徴とする印刷方法。
【手続補正２】
【補正対象書類名】明細書
【補正対象項目名】００１０
【補正方法】変更
【補正の内容】
【００１０】
上記課題は本発明によれば、印刷データを受信する受信部と、該受信部から入力する印刷データの印刷ジョブ情報を記憶する印刷ジョブ情報記憶部と、前記印刷データの解析を行い、前記印刷データを画像データに変換する画像データ変換部と、前記印刷データを画像データに変換する際、前記印刷データをページ毎に管理する印刷行列を生成する印刷行列生成部と、ジョブキャンセルが指示された際、該指示が行なわれた時の印刷ジョブＩＤを記憶する印刷ジョブＩＤ記憶部と、ジョブキャンセルを実行する際、前記印刷ジョブＩＤ記憶部に記憶した印刷ジョブＩＤと実行時の印刷ジョブＩＤを比較し、両印刷ジョブＩＤが一致するとき、該印刷ジョブＩＤの印刷データの印刷処理をキャンセルする制御部とを有する印刷装置を提供することによって達成できる。
【手続補正書】
【提出日】平成25年4月8日(2013.4.8)
【手続補正１】
【補正対象書類名】特許請求の範囲
【補正対象項目名】請求項１
【補正方法】変更
【補正の内容】
【請求項１】
液滴の吐出口となるノズル及び前記ノズルから液滴を吐出させる吐出エネルギー発生素子を有するインクジェットヘッドと、
前記インクジェットヘッドから吐出された液滴を付着させる記録媒体に対して、前記インクジェットヘッドを往復移動させるヘッド走査手段と、
前記ヘッド走査手段による前記インクジェットヘッドの位置を検知するリニアエンコーダと、
前記リニアエンコーダの出力信号を基に前記インクジェットヘッドの吐出タイミングを０．１μｓ単位オーダーの時間分解能で規定する吐出トリガ信号を生成する吐出トリガ生成手段と、
前記吐出トリガ信号のタイミングに従って前記インクジェットヘッドから液滴を吐出させる吐出制御手段と、
を備えたインクジェット記録装置。
【手続補正２】
【補正対象書類名】特許請求の範囲
【補正対象項目名】請求項２
【補正方法】変更
【補正の内容】
【請求項２】
前記吐出トリガ生成手段は、隣接トリガの周期の変動量が０．１μｓ単位オーダー内に収められた前記吐出トリガ信号を生成する請求項１に記載のインクジェット記録装置。
【手続補正３】
【補正対象書類名】特許請求の範囲
【補正対象項目名】請求項１１
【補正方法】変更
【補正の内容】
【請求項１１】
液滴の吐出口となるノズル及び前記ノズルから液滴を吐出させる吐出エネルギー発生素子を有するインクジェットヘッドを記録媒体に対して往復移動させて前記記録媒体に前記液滴を付着させるインクジェット記録方法であって、
前記往復移動による前記インクジェットヘッドの位置を検知するリニアエンコーダの出力信号を基に０．１μｓ単位オーダーの時間分解能で前記インクジェットヘッドの吐出タイミングを規定する吐出トリガ信号を生成する吐出トリガ生成工程と、
前記吐出トリガ信号のタイミングに従って前記インクジェットヘッドから液滴を吐出させる吐出駆動制御工程と、
を含むインクジェット記録方法。
【手続補正４】
【補正対象書類名】明細書
【補正対象項目名】０００５
【補正方法】変更
【補正の内容】
【０００５】
【特許文献１】特開２００９−３４８３９号公報
【特許文献２】特許第４６２３１０１号公報
【特許文献３】特開２００９−２１４３２６号公報
【手続補正５】
【補正対象書類名】明細書
【補正対象項目名】０００９
【補正方法】変更
【補正の内容】
【０００９】
前記目的を達成するために、本発明に係るインクジェット記録装置は、液滴の吐出口となるノズル及び前記ノズルから液滴を吐出させる吐出エネルギー発生素子を有するインクジェットヘッドと、前記インクジェットヘッドから吐出された液滴を付着させる記録媒体に対して、前記インクジェットヘッドを往復移動させるヘッド走査手段と、前記ヘッド走査手段による前記インクジェットヘッドの位置を検知するリニアエンコーダと、前記リニアエンコーダの出力信号を基に前記インクジェットヘッドの吐出タイミングを０．１μｓ単位オーダーの時間分解能で規定する吐出トリガ信号を生成する吐出トリガ生成手段と、前記吐出トリガ信号のタイミングに従って前記インクジェットヘッドから液滴を吐出させる吐出駆動制御手段と、を備える。
【手続補正６】
【補正対象書類名】明細書
【補正対象項目名】０１３６
【補正方法】変更
【補正の内容】
【０１３６】
（第１態様）：液滴の吐出口となるノズル及び前記ノズルから液滴を吐出させる吐出エネルギー発生素子を有するインクジェットヘッドと、前記インクジェットヘッドから吐出された液滴を付着させる記録媒体に対して、前記インクジェットヘッドを往復移動させるヘッド走査手段と、前記ヘッド走査手段による前記インクジェットヘッドの位置を検知するリニアエンコーダと、前記リニアエンコーダの出力信号を基に前記インクジェットヘッドの吐出タイミングを０．１μｓ単位オーダーの時間分解能で規定する吐出トリガ信号を生成する吐出トリガ生成手段と、前記吐出トリガ信号のタイミングに従って前記インクジェットヘッドから液滴を吐出させる吐出駆動制御手段と、を備えたインクジェット記録装置。
【手続補正７】
【補正対象書類名】明細書
【補正対象項目名】０１３９
【補正方法】変更
【補正の内容】
【０１３９】
（第２態様）：第１態様に記載のインクジェット記録装置において、前記吐出トリガ生成手段は、隣接トリガの周期の変動量が０．１μｓ単位オーダー内に収められた前記吐出トリガ信号を生成する構成とすることができる。
【手続補正８】
【補正対象書類名】明細書
【補正対象項目名】０１５７
【補正方法】変更
【補正の内容】
【０１５７】
（第１１態様）：液滴の吐出口となるノズル及び前記ノズルから液滴を吐出させる吐出エネルギー発生素子を有するインクジェットヘッドを記録媒体に対して往復移動させて前記記録媒体に前記液滴を付着させるインクジェット記録方法であって、前記往復移動による前記インクジェットヘッドの位置を検知するリニアエンコーダの出力信号を基に０．１μｓ単位オーダーの時間分解能で前記インクジェットヘッドの吐出タイミングを規定する吐出トリガ信号を生成する吐出トリガ生成工程と、前記吐出トリガ信号のタイミングに従って前記インクジェットヘッドから液滴を吐出させる吐出駆動制御工程と、を含むインクジェット記録方法。
【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
複数の図柄が表示された複数のリールを回転させ停止させるスロットマシンであって、
前記複数のリールを回転させるためのスタートスイッチと、
前記複数のリールの各々に対応して設けられ、前記複数のリールを停止させるためのストップスイッチと、
前記スタートスイッチが操作されたときに、複数種類の役の中から、何れかの役を抽選により決定し、決定した役に応じたフラグをオンにする役抽選手段と、
ストップスイッチが操作されたときのリール上に表示されている図柄の位置からリールが停止するまでに図柄が移動する移動コマ数が記憶された移動コマ数データテーブルと、
前記移動コマ数データテーブルに記憶された移動コマ数だけ図柄を移動させてリールを停止させるリール制御手段と、
を備え、
前記役抽選手段で決定される役として、第１役、第２役及び第３役を有し、
前記役抽選手段の結果、第１役と第２役のフラグがともにオンになるときと第１役と第３役のフラグがともにオンになるときとを有し、
前記リール制御手段は、
第１役と第２役のフラグがともにオンになった遊技において、第１役の図柄が所定位置であるときに前記ストップスイッチが操作されたときは、第１役の図柄を第１移動コマ数分移動して停止させ、
第１役と第３役のフラグがともにオンになった遊技において、第１役の図柄が所定位置であるときに前記ストップスイッチが操作されたときは、第１役の図柄を第１移動コマ数とは異なる第２移動コマ数分移動して停止させる、
ことを特徴とするスロットマシン。
【手続補正書】
【提出日】平成25年5月10日(2013.5.10)
【手続補正１】
【補正対象書類名】特許請求の範囲
【補正対象項目名】全文
【補正方法】変更
【補正の内容】
【特許請求の範囲】
【請求項１】
少なくとも１つのプロセッサと、
前記少なくとも１つのプロセッサに電気接続されるメモリと、
を有するシステムであって、
前記メモリは、前記少なくとも１つのプロセッサにより実行されると、前記少なくとも１つのプロセッサに、
クライアント装置からゲームに対する賭けを受信させ、
前記賭けを受信したことに応答して、複数のスポーツイベントからライブのスポーツイベントを決定させ、前記ゲームに対する賭けの結果が前記決定されたスポーツイベントのイベント結果に少なくとも部分的に基づくように、前記賭けを前記決定されたスポーツイベントに割り当てさせ、
前記クライアント装置を介しユーザに前記決定されたスポーツイベントのライブの又は実質的にライブのビデオフィードを表示させ、
前記決定されたスポーツイベントの少なくとも１つのイベント結果を受信させ、
前記少なくとも１つのイベント結果に少なくとも部分的に基づき、前記ゲームのための少なくとも１つの入力値を決定させ、
前記ゲームのための少なくとも１つの入力値に少なくとも部分的に基づき、前記賭けの結果を決定させる、格納される命令を有するシステム。
【請求項２】
前記ゲームのための少なくとも１つの入力値を決定させることは、前記スポーツイベントの少なくとも１つのイベント結果にルールセットを適用することを含み、
前記ルールセットは、スポーツイベントのイベント結果に基づき前記ゲームのための入力値を決定するのに利用される、請求項１記載のシステム。
【請求項３】
前記決定されたスポーツイベントは、幾人かの参加者を有し、
前記命令はさらに、前記少なくとも１つのプロセッサにより実行されると、前記少なくとも１つのプロセッサに、前記スポーツイベントにおける参加者の人数に少なくとも部分的に基づき、複数のルールセットから前記ルールセットを選択させ、
前記複数のルールセットは、スポーツイベントのイベント結果に基づき前記ゲームのための入力値を決定するのに利用され、
前記複数のルールセットの少なくとも第１ルールセットは、第１の合計参加者数を有するスポーツイベントに基づき入力値を決定するのに利用され、
前記複数のルールセットの少なくとも第２ルールセットは、第２の合計参加者数を有するスポーツイベントに基づき入力値を決定するのに利用され、
前記第１の合計参加者数は、前記第２の合計参加者数と異なる、請求項２記載のシステム。
【請求項４】
前記ゲームのための少なくとも１つの入力値を決定させることは、前記ルールセットと少なくとも１つの賭けパラメータとを前記スポーツイベントの少なくとも１つのイベント結果に適用することを含み、
前記決定されたスポーツイベントは、各参加者が数字の識別子を有する幾人かの参加者を有するレースイベントを有し、
前記少なくとも１つのイベント結果は、前記レースイベントにおける１以上の参加者の相対的ポジションと前記参加者の数字の識別子とを有し、
前記少なくとも１つの賭けパラメータは、前記レースイベントにおける少なくとも１つのポジションの表示を有し、
前記ゲームのための少なくとも１つの入力値を決定させることは、前記少なくとも１つの賭けパラメータにより示されるポジションの参加者の数字の識別子に前記ルールセットを適用することによって、前記少なくとも１つのイベント結果から前記少なくとも１つの入力値を決定することを含む、請求項２記載のシステム。
【請求項５】
前記少なくとも１つのイベント結果は、前記レースイベントの終了時の１以上の参加者の相対的ポジションを有する、請求項４記載のシステム。
【請求項６】
前記少なくとも１つのイベント結果は、前記レースイベントにおける中間ポイントでの１以上の参加者の相対的ポジションを有する、請求項４記載のシステム。
【請求項７】
前記命令はさらに、前記少なくとも１つのプロセッサにより実行されると、前記少なくとも１つのプロセッサに前記少なくとも１つの賭けパラメータをランダムに決定させる、請求項４記載のシステム。
【請求項８】
前記命令はさらに、前記少なくとも１つのプロセッサにより実行されると、前記少なくとも１つのプロセッサに前記クライアント装置から前記少なくとも１つの賭けパラメータを受信させる、請求項４記載のシステム。
【請求項９】
前記決定されたスポーツイベントは、各参加者が数字の識別子を有する幾人かの参加者を有するレースイベントを有し、
前記少なくとも１つのイベント結果が、前記レースイベントにおける１以上の参加者の相対的ポジションと前記参加者の数字の識別子とを有する、請求項１記載のシステム。
【請求項１０】
前記少なくとも１つのイベント結果は、前記レースイベントの終了時の１以上の参加者の相対的ポジションを有する、請求項９記載のシステム。
【請求項１１】
前記少なくとも１つのイベント結果は、前記レースイベントにおける中間ポイントでの１以上の参加者の相対的ポジションを有する、請求項９記載のシステム。
【請求項１２】
前記少なくとも１つのイベント結果は、前記スポーツイベントの期間内のイベントに対応する結果を有する、請求項１記載のシステム。
【請求項１３】
前記複数のスポーツイベントから前記スポーツイベントを決定させることは、前記賭けが発注された時間に少なくとも基づき前記スポーツイベントを決定することを含む、請求項１記載のシステム。
【請求項１４】
前記賭けは第１の賭けを有し、
前記少なくとも１つの入力値は、第１の入力値を有し、
前記命令はさらに、前記少なくとも１つのプロセッサにより実行されると、前記少なくとも１つのプロセッサに、
ゲームに対する第２の賭けを受信させ、
前記第２の賭けの結果が前記決定されたスポーツイベントのイベント結果に少なくとも部分的に基づくように、前記第２の賭けを前記決定されたスポーツイベントに割り当てさせ、
前記少なくとも１つのイベント結果に少なくとも部分的に基づき、少なくとも１つの第２の入力値を決定させ、
前記少なくとも１つの第２の入力値に少なくとも部分的に基づき前記第２の賭けの結果を決定させる、請求項１記載のシステム。
【請求項１５】
前記第１の入力値と前記第２の入力値とは同じである、請求項１４記載のシステム。
【請求項１６】
前記第１の入力値と前記第２の入力値とは異なる、請求項１４記載のシステム。
【請求項１７】
前記少なくとも１つの入力値は、サイコロに対応する数値、プレイするカード、ルーレットのホイールに対応する数値、ルーレットホイールに対応するカラー、スロットマシーンのリールに対応するシンボル、マネーホイールに対応する値、及び番号付けされたボールに対応する数値の少なくとも１つを有するか、又は表す、請求項１記載のシステム。
【請求項１８】
前記ゲームは、クラップス、ブラックジャック、ルーレット、スロット、キーノー、バカラ、戦争、マネーホイール、ｈｏｌｄ‘ｅｍ、及びポーカーのカジノゲームの１つを有する、請求項１記載のシステム。
【請求項１９】
前記スポーツイベントは、レースイベント、競馬、ドッグレース、自動車レース、野球の試合、バスケットボールの試合、フットボールの試合、サッカーの試合、ホッケーの試合、ハイアライゲーム、及びクリケットの試合の少なくとも１つを有する、請求項１記載のシステム。
【手続補正書】
【提出日】平成25年10月3日(2013.10.3)
【手続補正１】
【補正対象書類名】特許請求の範囲
【補正対象項目名】全文
【補正方法】変更
【補正の内容】
【特許請求の範囲】
【請求項１】
前端に吹出口（８）、後端に吸込口（２８）を有する筒状の本体ケース（１）の内部に、送風ファン（３）と、送風ファン（３）を駆動するモーター（４）と、ヒーターユニット（５）とが、吸込口（２８）から吹出口（８）へ向かって記載順に設けてあるヘアードライヤーであって、
本体ケース（１）は、光透過性素材で形成されており、
ヒーターユニット（５）の外面が金属製のヒーターカバー（１３）で覆われており、
ヒーターカバー（１３）の外面を覆う、本体ケース（１）の前部壁面が透視可能で、残る後部壁面にケース内部の視認を遮る本体遮蔽部（５９）が形成してあることを特徴とするヘアードライヤー。
【請求項２】
本体遮蔽部（５９）が、本体ケース（１）の外面に塗装を施して形成してある請求項１に記載のヘアードライヤー。
【請求項３】
本体遮蔽部（５９）が、本体ケース（１）の外面にグラデーション塗装を施して形成されており、
グラデーション塗装の色調が、本体ケース（１）の前部から後部へ向かって連続して徐々に濃くしてある請求項２に記載のヘアードライヤー。
【請求項４】
本体遮蔽部（５９）の前部境界（６０）が、ヒーターカバー（１３）の後端より前方に位置させてある請求項１乃至３のいずれかひとつに記載のヘアードライヤー。
【請求項５】
本体ケース（１）の内部に、送風ファン（３）と、送風ファン（３）を駆動するモーター（４）と、ヒーターユニット（５）が設けてあるヘアードライヤーであって、
本体ケース（１）は、ケース中心軸に沿って複数に分割された分割ケース（３０・３１）を含んで構成されており、
本体ケース（１）の吹出口（８）に、接合された分割ケース（３０・３１）の分離を防ぐ固定リング（３２）が装着されており、
固定リング（３２）に、吹出口（８）から吹出される空気流を収束ないし拡散する吹出ノズル（９）が一体に形成してある請求項１乃至４のいずれかひとつに記載のヘアードライヤー。
【請求項６】
吹出ノズル（９）が、固定リング（３２）と一体に形成された第１吹出ノズル（４１）と、第１吹出ノズル（４１）の外面に着脱自在に装着されて、第１吹出ノズル（４１）のノズル口（４５）から吹出された空気流を収束ないし拡散する第２吹出ノズル（４２）とで構成してある請求項５に記載のヘアードライヤー。
【請求項７】
第１吹出ノズル（４１）、および第２吹出ノズル（４２）が、それぞれ光透過性素材で形成してある請求項６に記載のヘアードライヤー。
【請求項８】
分割ケース（３０・３１）が、それぞれ光透過性素材で形成されて、固定リング（３２）で分離不能に固定してある請求項６または７に記載のヘアードライヤー。
【請求項９】
ヒーターユニット（５）の外面がヒーターカバー（１３）で覆われており、
ヒーターカバー（１３）の外面を覆う分割ケース（３０・３１）の前部壁面が透視可能で、残る後部壁面にケース内部の視認を遮る本体遮蔽部（５９）が形成してある請求項６乃至８のいずれかひとつに記載のヘアードライヤー。
【請求項１０】
本体遮蔽部（５９）が、分割ケース（３０・３１）の外面に塗装を施して形成してある請求項９に記載のヘアードライヤー。
【請求項１１】
本体遮蔽部（５９）が、分割ケース（３０・３１）の外面にグラデーション塗装を施して形成されており、
グラデーション塗装の色調が、分割ケース（３０・３１）の前部から後部へ向かって連続して徐々に濃くしてある請求項１０に記載のヘアードライヤー。
【請求項１２】
本体遮蔽部（５９）の前部境界（６０）が、ヒーターカバー（１３）の後端より前方に位置させてある請求項９乃至１１のいずれかひとつに記載のヘアードライヤー。
【手続補正書】
【提出日】平成25年10月3日(2013.10.3)
【手続補正１】
【補正対象書類名】特許請求の範囲
【補正対象項目名】全文
【補正方法】変更
【補正の内容】
【特許請求の範囲】
【請求項１】
前端に吹出口（８）、後端に吸込口（２８）を有する本体ケース（１）の内部に、送風ファン（３）と、送風ファン（３）を駆動するモーター（４）と、ヒーターユニット（５）とが設けてあるヘアードライヤーであって、
吹出口（８）に、吹出ノズル（９）が設けられており、
吹出ノズル（９）が、第１吹出ノズル（４１）と第２吹出ノズル（４２）とで構成してあり、
第１吹出ノズル（４１）のノズル口（４５）および第２吹出ノズル（４２）のノズル口（５３）が、それぞれ長円ないし楕円状に形成されており、
第２吹出ノズル（４２）が、第１吹出ノズル（４１）に対して回転自在に装着してあることを特徴とするヘアードライヤー。
【請求項２】
第２吹出ノズル（４２）が、第１吹出ノズル（４１）に対して着脱自在に、かつ、装着状態において回転自在に装着してある請求項１に記載のヘアードライヤー。
【請求項３】
本体ケース（１）の内部に、送風ファン（３）と、送風ファン（３）を駆動するモーター（４）と、ヒーターユニット（５）が設けてあるヘアードライヤーであって、
本体ケース（１）は、ケース中心軸に沿って複数に分割された分割ケース（３０・３１）を含んで構成されており、
本体ケース（１）の吹出口（８）に、接合された分割ケース（３０・３１）の分離を防ぐ固定リング（３２）が装着されており、
固定リング（３２）に、吹出口（８）から吹出される空気流を収束ないし拡散する吹出ノズル（９）が一体に形成してある請求項１または２に記載のヘアードライヤー。
【請求項４】
吹出ノズル（９）が、固定リング（３２）と一体に形成された第１吹出ノズル（４１）と、第１吹出ノズル（４１）の外面に着脱自在に装着されて、第１吹出ノズル（４１）のノズル口（４５）から吹出された空気流を収束ないし拡散する第２吹出ノズル（４２）とで構成してある請求項３に記載のヘアードライヤー。
【手続補正書】
【提出日】平成25年9月10日(2013.9.10)
【手続補正１】
【補正対象書類名】特許請求の範囲
【補正対象項目名】全文
【補正方法】変更
【補正の内容】
【特許請求の範囲】
【請求項１】
粉末Ｘ線回折において、２０°≦２θ≦６０°の範囲でバックグラウンドの最低の強度値を１としたとき、角度（２θ）２４．６°、２８．０°及び４８．５°の回折ピークの上記バックグラウンドの最低の強度値に対する相対強度がいずれも、１０．０以下であると共に、窒素ガス吸着法による細孔容積が０．５ｃｍ3／ｇ以上である水酸化チタンを含むことを特徴とするセシウム吸着剤。
【請求項２】
角度２θが２４．６°、２８．０°及び４８．５°の回折ピークの上記バックグラウンドに対する相対強度がいずれも７．０以下である請求項１に記載のセシウム吸着剤。
【請求項３】
酸化チタン及びメタチタン酸から選ばれる少なくとも１種のチタン化合物を、アルカリ金属水酸化物及びアルカリ土類金属水酸化物から選ばれる少なくとも１種のアルカリ物質の水溶液中で大気圧下に加熱し、又はアルカリ金属水酸化物及びアルカリ土類金属水酸化物から選ばれる少なくとも１種のアルカリ物質の存在下に水熱処理して、得られた固形生成物を固液分離し、水洗し、水に再懸濁させ、得られた懸濁液を６０℃以下の温度に維持しつつ、この懸濁液に酸を加えて中和し、次いで、得られた懸濁液を固液分離し、得られた固形生成物を水洗することを特徴とする請求項１に記載の吸着剤として有用な水酸化チタンの製造方法。
【請求項４】
チタン化合物をアルカリ物質の水溶液中で大気圧下に加熱し、又はアルカリ物質の存在下に水熱処理して、得られた固形生成物を固液分離し、水洗し、水に再懸濁させ、得られた懸濁液を４５℃以下の温度に維持しつつ、得られた分散液に酸を加えて、中和する請求項３に記載の製造方法。
【請求項５】
アルカリ物質をチタン化合物に対して、チタン化合物をＴｉＯ2換算して、モル比にて１．０以上で用いる請求項３又は４に記載の製造方法。
【請求項６】
得られた懸濁液に酸を加えて、その懸濁液が８．０〜６．０の範囲のｐＨを有するに至るまで中和する請求項３又は４に記載の製造方法。
【請求項７】
チタン化合物をアルカリ物質の水溶液中で大気圧下に水溶液中で７０℃以上の温度で加熱する請求項３又は４に記載の製造方法。
【請求項８】
チタン化合物をアルカリ物質の存在下に１００℃を越え、２２０℃までの温度で水熱処理する請求項３又は４に記載の製造方法。
【請求項９】
セシウムイオンを含む水溶液を請求項１又は２に記載の吸着剤に接触させて、セシウムイオンを上記吸着剤に吸着させることを特徴とするセシウムイオンを含む水溶液の処理方法。
【手続補正書】
【提出日】平成25年10月3日(2013.10.3)
【手続補正１】
【補正対象書類名】特許請求の範囲
【補正対象項目名】全文
【補正方法】変更
【補正の内容】
【特許請求の範囲】
【請求項１】
被溶接物を載置する板状基台と、折り曲げ形状の大きな被溶接物二体の突き合わせ部の縦面を溶接するガン本体部と、
前記ガン本体部を支持するガンフレーム部と、
前記ガン本体部と前記ガンフレーム部を横移動させるガン走行部により構成し、
前記ガン本体部は、配設したエアシリンダの作動で溶接チップが前記被溶接物を狭持して加圧し、ガン部導電体からの通電を貫通軸、板バネの側圧を付加したスラスト電極、ガン先端導電体、及び複数個の絶縁体で構成し、前記ガン先端導電体に装着した前記溶接チップに通電する
ことを特徴とするスポット溶接法。
【請求項２】
前記ガンフレーム部は複数枚の板状導電体を装着し、
この板状導電体と連結した二体の可撓性導電体は、
各々に配設されたエアシリンダの作動で前記ガン走行部の導電パイプと接離し、
前記ガンフレーム部は前記可撓性導電体と前記導電パイプが離間した状態で走行し、
溶接トランスから接続銅板を介し通電された溶接電流を、前記エアシリンダの作動により加圧しつつ当接して、前記導電パイプから前記可撓性導電体に投下する
ことを特徴とする請求項１記載のスポット溶接法。
【請求項３】
前記ガン走行部は内部を冷却水が循環する二本の前記導電パイプと前記導電パイプに平行に配置したラックと、直動ガイドにより構成し、前記ガンフレーム部に装備した駆動モータの歯車でガン本体部と前記ガンフレーム部の横移動を自動走行し、
前記被溶接物のスポット溶接が連続してできる
ことを特徴とする請求項１記載のスポット溶接法。
【手続補正２】
【補正対象書類名】明細書
【補正対象項目名】００１２
【補正方法】変更
【補正の内容】
【００１２】
＜構成３＞
前記ガン走行部は内部を冷却水が循環する二本の前記導電パイプと前記導電パイプに平行に配置したラックと、直動ガイドにより構成し、前記ガンフレーム部に装備した駆動モータの歯車でガン本体部と前記ガンフレーム部の横移動を自動走行し、
前記被溶接物のスポット溶接が連続してできることを特徴とする構成１記載のスポット溶接法。
【手続補正書】
【提出日】平成25年4月23日(2013.4.23)
【手続補正１】
【補正対象書類名】特許請求の範囲
【補正対象項目名】全文
【補正方法】変更
【補正の内容】
【特許請求の範囲】
【請求項１】
外レール及び内レールを有し、遊技者の操作によって遊技媒体が打ち込まれる遊技領域の外周を区画形成する遊技領域区画枠部材と、
該遊技領域区画枠部材の後側で前記遊技領域を閉鎖するように配置される透明な遊技パネルと、
該遊技パネルの後方に配置される第一装飾部材及び第二装飾部材と、
を備え、
前記第一装飾部材と前記第二装飾部材とは互いに近接し、かつ、前記第一装飾部材は、前記第二装飾部材よりも後方に配置されており、
遊技者の操作によって打ち込まれた後の前記遊技媒体が、遊技者側からの正面視において、前記第一装飾部材の配置位置とは重なり、かつ、前記第二装飾部材の配置位置とは重ならずに通過可能な箇所を有する
ことを特徴とする遊技機。